(57)【要約】【課題】開封検知機能とＲＦＩＤ機能を併せ持ったラベルであって、被貼着体に貼着した時に、少なくともＲＦＩＤ機能のアンテナ部を被貼着体から離間させることが可能なラベルを提供することを課題とする。【解決手段】開封検知機能が備えられた貼着部１５とＲＦＩＤ機能が備えられた起立部１４を備えているラベルであって、貼着部と起立部は、剥離シート５と粘着剤層６とラベル基材７がこの順に積層された積層体１０であり、貼着部と起立部の境界において、ラベル基材には折り曲げ線４が形成されており、剥離シートには切込み線３´が形成されており、貼着部を物品に貼り付けて封印した状態で、ラベルを折り曲げ線で折り曲げることで起立させた起立部を保持するためのロック手段が備えられていることを特徴とする開封検知機能とＲＦＩＤ機能を備えたラベル。【選択図】図１
2017078984.tif 000002
【特許請求の範囲】
【請求項１】
物品に貼着し封印され、開封時に開封されたことを検知する開封検知機能が備えられた貼着部とＲＦＩＤ機能が備えられた起立部を備えているラベルであって、
貼着部と起立部は、剥離シートと粘着剤層とラベル基材がこの順に積層された積層体であり、
貼着部と起立部の境界において、ラベル基材には折り曲げ線が形成されており、剥離シートには切込み線が形成されており、
貼着部を物品に貼り付けて封印した状態で、ラベルを折り曲げ線で折り曲げることにより起立させた起立部を保持するためのロック手段が備えられていることを特徴とする開封検知機能とＲＦＩＤ機能を備えたラベル。
【請求項２】
前記ロック手段が、前記起立部の前記折り曲げ線に沿って形成されたフラップであることを特徴とする請求項１に記載の開封検知機能とＲＦＩＤ機能を備えたラベル。
【発明の詳細な説明】
【技術分野】
【０００１】
本発明は、開封検知機能とＲＦＩＤ機能を併せ持つラベルに関する。
【背景技術】
【０００２】
高価な内容物を収納した容器が開封され、内容物が改竄されたり、低価格な内容物に入替えるなどの不正開封を検知するために、開封検知ラベルが使用されている。
例えば、高価な酒類をいれた瓶は、開封検知手段によって封印されることがある。
【０００３】
一方、物品の属性情報を読み取る方法として、ＲＦＩＤタグやＲＦＩＤラベルを物品に貼着するなどにより取り付けることによって、属性情報を読み取ることで物品の管理が行われている。
【０００４】
しかしながら、物品自体が金属製の場合や、物品はプラスチック製の容器であるが、その内容物に導電性があるジュース類をはじめとした飲料の場合、それらの物品に貼着されたＲＦＩＤラベルなどは、無線通信できる距離が著しく低下するため、ＲＦＩＤラベルなどに書き込まれた情報を読み取ることが困難となる。
【０００５】
そのため、ＲＦＩＤラベルなどに備えられているアンテナ部を、物品の表面から離間させることによって、無線通信できる距離を伸ばす技術が開示されている（例えば、特許文献１参照）。
【０００６】
特許文献１は、血液バッグなどにＲＦＩＤラベルを貼り付ける時、血液バッグの中の血液に導電性があるため、電磁波が吸収され、通信距離が短くなってしまうのを防ぐため、血液バッグから所定距離だけ離して取り付けられるように、短冊状のラベルの両端部に粘着剤が形成された貼付部が備えられており、ラベルの中央で折り曲げて、ラベルの両端部の貼付部を開いてから、被貼付物である血液バッグなどに貼り付ける事によって、ラベルを被貼付物上で起立させることで、少なくともＲＦＩＤラベルのアンテナが形成されている部位を被貼付物から離間させることができるＲＦＩＤラベルである。
【０００７】
このようなＲＦＩＤラベルの機能と開封検知ラベルの機能を併せ持たせるには、両方のラベルを物品に貼付すれば良いが、ラベルを２回貼る手間がかかる上に、２つのラベルが必要になる。そのため、封印検知機能とＲＦＩＤ機能を併せ持ったラベルが待望されていたが、未だ提供されておらず、技術文献や特許文献も見出すことはできなかった。
【先行技術文献】
【特許文献】
【０００８】
【特許文献１】特開２００６−２７７５２４号公報
【発明の概要】
【発明が解決しようとする課題】
【０００９】
上記の事情に鑑み、本発明は、開封検知機能とＲＦＩＤ機能を併せ持ったラベルであって、被貼着体に貼着した時に、少なくともＲＦＩＤ機能のアンテナ形成部を被貼着体から離間させることが可能なラベルを提供することを課題とする。
【課題を解決するための手段】
【００１０】
上記の課題を解決するための手段として、本発明の請求項１に記載の発明は、物品に貼着し封印され、開封時に開封されたことを検知する開封検知機能が備えられた貼着部とＲＦＩＤ機能が備えられた起立部を備えているラベルであって、
貼着部と起立部は、剥離シートと粘着剤層とラベル基材がこの順に積層された積層体であり、
貼着部と起立部の境界において、ラベル基材には折り曲げ線が形成されており、剥離シートには切込み線が形成されており、
貼着部を物品に貼り付けて封印した状態で、ラベルを折り曲げ線で折り曲げることにより起立させた起立部を保持するためのロック手段が備えられていることを特徴とする開封検知機能とＲＦＩＤ機能を備えたラベルである。
【００１１】
また請求項２に記載の発明は、前記ロック手段が、前記起立部の前記折り曲げ線に沿って形成されたフラップであることを特徴とする請求項１に記載の開封検知機能とＲＦＩＤ機能を備えたラベルである。
【発明の効果】
【００１２】
本発明の開封検知機能とＲＦＩＤ機能を有するラベルによれば、金属製の容器または導電性を有する内容物が収納された容器などの物品に本発明のラベルを貼着した後、ＲＦＩＤ機能のアンテナ形成部を物品から起立させ離間することができるため、十分長い通信距離を確保できる。そのため、開封検知機能を果たすことができるのと同時に、ＲＦＩＤ機能を使用した物品の管理を実施することができる。
【図面の簡単な説明】
【００１３】
【図１】本発明の開封検知機能とＲＦＩＤ機能を有するラベルの一例を示す説明図であって、（ａ）は概略平面図、（ｂ）は概略断面図を示す。
【図２】本発明の開封検知機能とＲＦＩＤ機能を有するラベルを、容器の口栓部に貼着し、ＲＦＩＤ機能のアンテナ形成部を容器の表面から離間した状態の一例を示す概略断面図である。
【図３】本発明のＲＦＩＤ機能を有する開封検知ラベルの起立状態を説明するための説明図であって、（ａ）は起立前の状態、（ｂ）は起立した状態、の例をそれぞれ示している。
【発明を実施するための形態】
【００１４】
本発明の開封検知機能とＲＦＩＤ機能を有するラベルを説明する。
本発明の開封検知機能とＲＦＩＤ機能を有するラベルは、物品に貼着し封印することで開封されたことを検知する開封検知機能が備えられた貼着部とＲＦＩＤ機能が備えられた起立部を備えているラベルである。
貼着部と起立部は、剥離シートと粘着剤層とラベル基材がこの順に積層された積層体である。
【００１５】
本発明の開封検知機能とＲＦＩＤ機能を有するラベルには、その貼着部を物品に貼り付けて封印した状態で、ラベルを折り曲げ線で折り曲げることにより起立させた起立部を保持するためのロック手段が備えられている。
【００１６】
次に、本発明の開封検知機能とＲＦＩＤ機能を有するラベルを、図１〜図３を用いて説明する。
図１（ａ）は、本発明の開封検知機能とＲＦＩＤ機能を有するラベル１０の一例を示す上面図である。本発明の開封検知機能とＲＦＩＤ機能を有するラベル１０は、そのラベルの一部を容器などの物品や容器の口栓部１２に貼着して封印することにより、開封検知するための貼着部１５と、ＲＦＩＤ機能のアンテナ形成部１が備えられた起立部１４の２つの領域から構成されている。
【００１７】
図１（ｂ）は、図１（ａ）に示した本発明の開封検知機能とＲＦＩＤ機能を有するラベル１０の上面図のＡ−Ａ´線で切断した断面図である。
貼着部１５と起立部１４の２つの領域の境界において、ラベル基材７には折り曲げ線４が形成されており、その剥離シート５側には切込み線３´が形成されており、その位置で、剥離シート５は切断されており、ラベル基材７は容易に折り曲げることが可能である。ここで、折り曲げ線とは、それが形成された線に沿って容易に折り曲げることが可能な線を指し、切込み線とは、その線に沿って切断された線を指す。
【００１８】
起立部１４のラベル基材７上には、ＲＦＩＤ機能が電磁波信号を受信するためのアンテナ２の一部または全部が形成されたアンテナ形成部１が備えられている。また折り曲げ線４で折り曲げることで、起立部１４を容器などの物品の表面から起立させた時に、その起立状態を保持するためのロック手段であるフラップ（以後、中央フラップとサイドフラップ´を総称してフラップと称することにする。）が備えられている（図１（ａ）参照）。ロック手段は、フラップに限定されないが、ここでは例として、フラップを取り上げて説明する。なお、ここでロック手段とは、起立部１４を、物品の表面から離間させる手段であれば良く、外力が加わることにより、一時的に物品の表面に接触しても、直ぐに物品の表面から離間した状態に戻ることができる手段であれば特に限定するものではない。
【００１９】
フラップは、折り曲げ線４に沿って１つ以上形成される。フラップは貼着する容器などの物品の形状に合せて切込み線３を形成して作製することができる。例えば、被貼着物である物品が平面である場合は、図１、図３に例示したように、折り曲げ線４は直線状で良い。その折り曲げ線４と貼着部１５側に形成した切込み線３によって形成される閉図形によってフラップを形成することができる。閉図形の形状は、起立部１４を起立させた状態をロックし保持できる形状であれば任意の形状でよい。図１、図３では折り曲げ線４が直線であり、フラップが矩形の場合を例示しているが、被貼着物が図２に示したような円筒状の瓶である場合は、円筒状の側面に追従するような曲線にし、その曲線に沿って起立状態を保持できる形状のフラップを形成すれば良い。
また、サイドトラップのみ、もしくは中央トラップのみでも良い（図１参照）。
【００２０】
ラベル基材７上にアンテナ２が形成されたアンテナ形成部１には、ＲＦＩＤの電磁波信号を受信するためのアンテナ２の主要部が形成されており、ＩＣチップ８がそのアンテナ２に接続されていている。またアンテナ２の一部にはＩＣチップ８が実装され、ラベル基材７上には印刷インキによる印刷層が形成されるため、それらを保護するための保護層兼印刷層がアンテナ２、ＩＣチップ８およびラベル基材７などを被覆するように形成されていても良い。
【００２１】
また、貼着部１５のラベル基材７上には、アンテナ２の一部が形成されていても良い。
また、貼着部１５のラベル基材７には、容器などの物品に貼着する場合に、物品の形状に追従し易くするための切込み線や折り曲げ線が形成されていても良い。特に、図２に示したようなラベルを貼着する物品が容器の口栓部１２であり、それを封印するようにラベルを貼り付ける場合には、貼着部１５のラベル基材７に物品の形状に追従し易くするための切込み線や折り曲げ線が形成されていることが望ましい。
【００２２】
図１（ｂ）に示したように、貼着部１５の剥離シート５は切込み線３´にて切断されており、その位置から剥離シート５を切り離すことで、粘着剤層６を露出させることができる。露出した粘着剤層６を、被貼着物である容器の口栓部１２（図２参照）に封印するように貼り付けることができる。この時、起立部１４の剥離シート５はそのまま剥がさずに置くと、粘着剤層６が露出することがなく、意図しない部位に粘着することがなく、作業がし易い。ラベルの貼着部１５を貼り付けた後、起立部１４を容器の口栓部１２の壁面から起立させ、フラップを折り曲げ部１６にて折り曲げて、容器の口栓部１２の側面側に折
り出すことにより、フラップが起立部１４をロックし、起立前の状態に戻るのを阻止し、起立状態を保持することができる。切込み線３´は、フラップの位置より右側にあれば、どこにあっても良い（図１（ｂ）参照）。
【００２３】
図３は、フラップが起立部１４をロックし、起立状態を保持する機構を更に詳しく説明するための説明図である。図３（ａ）は、図１（ａ）のフラップと折り曲げ線４と切込み線３を示した図である。図３（ｂ）は図３（ａ）に対応した側断面図を示したものである。
【００２４】
図３（ｂ）の折り曲げ部１６で起立部１４を起立させた後、図３（ａ）に示したフラップを、フラップを起立部１４が起立する前にあった側に、折り曲げ線４で折り曲げて、折り出すことによって、フラップによって起立部１４がロックされ、元の状態に戻るのを阻止する。このようにして、起立部１４は起立した状態を保持することができる。
【００２５】
以上に説明したように、本発明の開封検知機能とＲＦＩＤ機能を有するラベルは、容器などの物品に、その貼着部を貼り付けて封印することにより、開封時に開封検知機能を果たすことができる。また起立部を起立後にロック手段により起立状態を保持することができるため、容器などの物品からＲＦＩＤ機能のアンテナ形成部を離間して保持することができる。そのためＲＦＩＤ機能は十分な通信距離を確保することが可能であり、ＲＦＩＤ機能を使用した管理を実施することができる。
【符号の説明】
【００２６】
１・・・アンテナ形成部
２・・・アンテナ
３、３´・・・切り込み線
４・・・折り曲げ線
５・・・剥離シート
６・・・粘着剤層
７・・・ラベル基材
８・・・ＩＣチップ
９・・・積層体
１０・・・ＲＦＩＤ機能を有する開封検知ラベル
１１・・・容器
１２・・・容器の口栓部
１３・・・中央フラップ
１３´・・・サイドフラップ
１４・・・起立部
１５・・・貼着部
１６・・・折り曲げ部
【図１】
2017078984.tif 000003
【図２】
2017078984.tif 000004
【図３】
2017078984.tif 000005